(57)【特許請求の範囲】
【請求項１】
少なくともガス富化手段と、前記ガス富化手段に差圧を発生させる差圧発生手段と、第１の気体を前記ガス富化手段に通過させてガス富化された第２の気体を送気する送気通路と、 前記送気通路に第３の気体を供給するための流路開閉手段とを備え、前記流路開閉手段を前記差圧発生手段の起動時に所定時間だけ開制御することを特徴とするガス富化装置。
【請求項２】
前記差圧発生手段は前記ガス富化手段の一方の側を減圧して前記第１の気体を前記ガス富化手段に吸込む減圧手段であることを特徴とする請求項１に記載のガス富化装置。
【請求項３】
前記差圧発生手段は前記ガス富化手段の一方の側を加圧して前記第１の気体を前記ガス富化手段に押し込む加圧手段であることを特徴とする請求項１に記載のガス富化装置。
【請求項４】
少なくともガス富化手段と、前記ガス富化手段に差圧を発生させる差圧発生手段と、第１の気体を前記ガス富化手段に通過させてガス富化された第２の気体を送気する送気通路と、 前記送気通路に第３の気体を供給するための流路開閉手段と、差圧発生手段の筐体温度を推定しうる温度を検知する温度検知手段を備え、前記差圧発生手段を起動する際の前記温度検知手段の温度情報に基づいて前記流路開閉手段を制御することを特徴とするガス富化装置。
【請求項５】
前記温度検知手段の温度情報が、前記差圧発生手段の筐体温度であることを特徴とする請求項４に記載のガス富化装置。
【請求項６】
前記温度検知手段の温度情報が、ガス富化装置近傍の大気温度であることを特徴とする請求項４に記載のガス富化装置。
【請求項７】
前記流路開閉手段またはこれに連通する流路には、流通抵抗部材が介装されていることを特徴とする請求項１から請求項６のいずれか一項に記載のガス富化装置。
【請求項８】
少なくともガス富化手段と、前記ガス富化手段に差圧を発生させる差圧発生手段と、第１
の気体を前記ガス富化手段に通過させてガス富化された第２の気体を送気する送気通路と、 前記送気通路に第３の気体を供給するための流路開閉手段と、前記流路開閉手段を前記差圧発生手段の起動時に所定時間だけ開制御することを特徴とする空気調和装置。
【請求項９】
前記差圧発生手段は前記ガス富化手段の一方の側を減圧して前記第１の気体を前記ガス富化手段に吸込む減圧手段であることを特徴とする請求項８に記載の空気調和装置。
【請求項１０】
前記差圧発生手段は前記ガス富化手段の一方の側を加圧して前記第１の気体を前記ガス富化手段に押し込む加圧手段であることを特徴とする請求項８に記載の空気調和装置。
【請求項１１】
少なくともガス富化手段と、前記ガス富化手段に差圧を発生させる差圧発生手段と、第１の気体を前記ガス富化手段に通過させてガス富化された第２の気体を送気する送気通路と、 前記送気通路に第３の気体を供給するための流路開閉手段と、差圧発生手段の筐体温度を推定しうる温度を検知する温度検知手段を備え、前記差圧発生手段を起動する際の前記温度検知手段の温度情報に基づいて前記流路開閉手段を制御することを特徴とする空気調和装置。
【請求項１２】
前記温度検知手段の温度情報が、前記差圧発生手段の筐体温度であることを特徴とする請求項１１に記載の空気調和装置。
【請求項１３】
大気温度を検知する大気温度センサを具備し、前記温度検知手段の温度情報が、前記大気温度センサで検知された大気温度であることを特徴とする請求項１１に記載の空気調和装置。
【請求項１４】
前記流路開閉手段またはこれに連通する流路には、流通抵抗部材が介装されていることを特徴とする請求項８から請求項１３のいずれかに記載の空気調和装置。
【発明の詳細な説明】
【技術分野】
【０００１】
本発明は、空気中の所定のガス濃度を他のガスに対して相対的に向上させるガス富化装置およびそれを用いた送風装置に関する。
【背景技術】
【０００２】
従来からガス富化手段を用いる酸素富化装置や窒素富化装置など、特定のガス濃度を相対的に向上させる装置が知られている。それらには医療用の酸素富化装置、空気調和機、空気清浄機などの機器が含まれる。
【０００３】
その中で酸素濃度を向上させる発明が開示されている（特許文献１）。同発明では、分離型空気調和機の室外機に酸素富化手段を設け、その酸素が富化された空気を送出配管を介して室内機に送り、室内側に放出する。このようにして、被空調空間である室内の酸素濃度を向上させて、居住者に快適性をもたらす。
【０００４】
一方、上記従来例では以下のことが課題として取り上げられている。ガス富化手段の１つである酸素富化膜を用いる酸素富化操作では、酸素富化膜は空気成分の大半を占める窒素を分離し、選択的に酸素を透過させる。しかしながら、現在実用化されている酸素富化膜は酸素と同時に少なくとも空気中の水分も透過させる特徴を持っている。即ち、酸素富化膜の１次側の空気に対して、膜を透過した２次側では窒素が分離された分だけ相対的に湿度が高くなる。そのため露点が１次側の空気に比べて上昇するので、膜の２次側配管中でしばしば結露水を発生させてしまう。
【０００５】
その結果、結露水が空気調和機の室内機で放散されたときに、吹き出されて室内を濡らしたり、ユーザに降りかかって不快感を与えたりする。上記従来例ではこれらを防ぐために、以下の対策を行っている。
【０００６】
すなわち、室内機の酸素富化空気の輸送経路中に冷却器を設け、酸素富化空気を冷却して含有水分を結露させるとともに水分離器を備えて、水分が室内に飛散するのを未然に防止している。
【０００７】
このようなガス富化手段や、ＰＳＡ法などの吸着材を用いるガス富化操作では、酸素濃度のみならず、分離装置の２次側では必然的に相対湿度が上がる。そのため、空気の露点が上昇し、結露を発生しやすくなる。また、酸素富化運転時や、運転停止時においては、運転状態により、減圧ポンプの運転音や結露水の戻り水が発生しやすくなる傾向がある。
【特許文献１】特開平５−１１３２２７号公報
【発明の開示】
【発明が解決しようとする課題】
【０００８】
しかしながら、前記従来の構成では、以下のような課題が発生する可能性がある。
【０００９】
まず第一に、少なくともガス富化手段の２次側において、富化空気の輸送管路が低温化に暴露される場合（例えば、輸送管路が屋外大気に暴露されており、大気温度が低くなる場合）、輸送管路の内部で結露水が，運転停止中に凍結して、再運転時に酸素富化した空気が室内に搬送できなくなることが起こる可能性がある。
【００１０】
第二に、輸送管路中に結露水が発生すると、差圧発生手段が起動する際の負荷となりうる。そしてそれが凍結した場合には、富化ガスの流路が閉塞されてしまい、差圧発生手段
が良好に起動できない場合も生じる。特に、ガス富化装置の心臓部となる差圧発生手段の周囲またはその筐体自体が、低温状態であると潤滑材の粘度が高くなり、差圧発生手段の起動に対する負荷になり得る。
【００１１】
また、差圧発生手段がダイヤフラムポンプなどのように弾性変形して動作する弾性樹脂などで構成されるダイヤフラムを有する場合には、低温のためにダイヤフラムの可撓性が低下する。これらは、差圧発生手段にとって運転の負荷となる。場合によっては負荷過大のために、差圧発生手段の起動がスムーズにいかない場合が生じる可能性もある。
【００１２】
また第三には、輸送管路中に発生した結露水によって、運転停止時に、空気脈動や破裂音のような異常音を発生しやすい。また、差圧発生手段の停止音が発生し、これらが室内側及び室外側において、ユーザに不快感を与える可能性がある。
【００１３】
本発明は、従来技術の有するこのような問題点に鑑みてなされたものである。低大気温度でも特定のガスを富化された空気の管路内部の水分排出ができ良好に差圧発生手段を起動させるとともに、さらに差圧発生手段停止時における管路内部の結露水の残留を極力低減させることができるガス富化装置及びそれを用いた送風装置を提供することを目的とする。
【課題を解決するための手段】
【００１４】
上記従来の課題を解決するために、本発明のガス富化装置は、少なくともガス富化手段と、ガス富化手段に差圧を発生させる差圧発生手段と、第１の気体を前記ガス富化手段に通過させてガス富化された第２の気体を送気する送気通路と、 送気通路に第３の気体を供給するための流路開閉手段とを備え、差圧発生手段の起動に連動して前記流路開閉手段を開閉もしくは開度可変とすることを特徴とする。
【発明の効果】
【００１５】
本発明のガス富化装置及びそれを用いた送風装置は、差圧発生手段を良好に起動させ、安定したガス富化運転を行うことができる。
【発明を実施するための最良の形態】
【００１６】
以下、本発明の実施の形態について、図面を参照しながら説明する。なお、以下の実施の形態では、ガス富化装置として酸素富化装置を居住空間の空気調和に用いる分離型の空気調和機に適用する例を説明する。しかし、例えば車両用空気調和機、一体形空気調和機、空気清浄機等の送風装置に用いた場合のみならず、医療用やリフレッシュ用などの酸素富化装置、携帯用酸素富化装置、燃焼機器用酸素富化装置、冷蔵庫など鮮度保持に用いる窒素富化装置などに適用しても何ら問題はなく、同様の効果を奏することができる。
【００１７】
ガス富化装置に用いる差圧発生手段は、加圧形のものでも減圧形のものでもよい。加圧形の差圧発生手段を用いた場合は、例えばガス富化手段として中空糸や、ＰＳＡ法のようなゼオライトを充填したガス分離手段を用いる。一方、減圧形の差圧発生手段を用いた場合は、シリコーン系等のガス分離膜を用いる。
【００１８】
（実施の形態１）
まず図１、図２、図３を用いて実施の形態１について説明する。図１に示すように、空気調和機は室内機１１と室外機１とから構成され、冷媒ガスが循環するように接続配管（図示せず）でそれらは接続されている。室内機１１には室内ファン１３が具備される。一方、室外機１には圧縮機２０、熱交換器２２、室外機ファン２１が具備されている。さらに、所定のガス成分の濃度高める機能を有するガス富化手段として、酸素富化膜を使用する。酸素富化膜を備えたガス富化装置として、本実施の形態では酸素富化装置３０を設け
る。また、差圧発生手段として、減圧ポンプを用いる。
【００１９】
酸素富化装置３０は、酸素富化手段２と、樹脂製のダイヤフラムを具備するダイヤフラム型の減圧ポンプ３と、酸素富化手段２と減圧ポンプ３とを通気可能に連結する送気通路４と、送気通路４から分岐するように設けられた分岐管５と、室内機１１へ酸素富化された空気を通す吐出主管６とを有している。
【００２０】
吐出主管６は、減圧ポンプ３の吐出側に接続している。なお、酸素富化手段２の１次側（大気側）には滞留する窒素富化状態の空気を掃気するためのファン（図示せず）を配置しておき、酸素富化装置の運転に連動して動作させることが好ましい。また、酸素富化手段２の配置構成を室外機の送風回路内に配置し、ファン２１を共用させて、酸素富化手段２の１次側の窒素富化空気を掃気するようにしてもよい。
【００２１】
本実施の形態では、流路開閉手段８として開閉弁を用いる。また、分岐管５には更に、例えば電磁ニ方弁などの流路開閉手段８と、例えばキャピラリチューブなどの流通抵抗部材９を直列的に設けている。そして、流路開閉手段８の開閉は制御装置１２によって制御される。また制御装置１２は、減圧ポンプの筐体温度Ｔを検知する温度センサ１０を具備している。
【００２２】
また、室内機１１は、吐出主管６を介して酸素富化された空気が室内機１１の筐体内部またはその付近で吹き出される吐出口７を具備している。さらに、室内機筐体内の送風回路に面して吐出口７が配置された場合には、ファン１３の動作により吹き出される送風に酸素富化空気が添加されて室内吹出し口１４より被空調空間に送出される。ここで、空気調和機の冷凍サイクルの構成及び動作については本発明に関連しないため詳細な説明は省略する。
【００２３】
次に上記構成の酸素富化装置における、酸素富化を行う動作と、本発明に係る動作とを図１、２、及び３を用いて説明する。
【００２４】
減圧ポンプ３が運転されると、矢印１５Ａで示す様に、第1の気体である大気（空気）が酸素富化手段２に入る。そして、酸素富化膜などによって酸素が選択的に透過され、酸素濃度の高い第２の気体となって送気通路４に入る。酸素濃度の高い第２の気体は送気通路４から減圧ポンプ３を経て、吐出主管６を介して室内機に送出される。
【００２５】
なお、第３の気体は、第１の気体と同じでもよい。例えばガス富化手段としてガス分離膜を用いた場合では、ガス分離膜を透過する第１の気体はガス分離膜を通過する大気である。
【００２６】
そして、減圧形差圧発生手段の吸入側に対してこのガス分離膜と並列的に流路開閉手段を設ける。
【００２７】
この流路開閉手段の減圧形差圧発生手段と連通している反対側から大気を吸い込むように構成すれば、第３の気体は第１の気体と同じである。
【００２８】
次に送気通路４に設けられた分岐管５に介装された流路開閉手段８の動作について説明する。流路開閉手段８は減圧ポンプ３が停止の状態では閉状態になっている。減圧ポンプ３が運転されると、流路開閉手段８は開状態となり開閉動作運転を開始する。
【００２９】
また、差圧発生手段が起動される時、制御装置１２は温度センサ１０により検知された減圧ポンプ３の筐体温度Ｔを検知し、予め設定された温度Ｔ１と比較する。そして、図２
に示すような制御仕様に従って、図３に示す様に開閉動作を行う。
【００３０】
図２では、上方ほど検知された減圧ポンプの筐体温度が高く、下方ほど筐体温度が低い状態であることを示している。まず、検知された筐体温度Ｔが、所定温度Ｔ１よりも高い場合には、以下のようになる。
【００３１】
差圧発生手段の起動時において、ダイヤフラムの可撓性が低下せず、駆動部のグリスの粘度が増大しないので、負荷が大きくならない。その結果、そのままの負荷で起動を開始しても十分起動が行われるので、流路開閉手段８は閉状態になっている。
【００３２】
一方、差圧発生手段起動時の筐体温度Ｔが低く、所定温度Ｔ１よりも低くなった場合には、減圧ポンプ３の起動負荷が大きい状態であると推測する。その時は、流路開閉手段８を開にする。そうすると、矢印１５Ｂで示す様に、分岐管５を介して外気が直接導入される。その結果、減圧ポンプ３は負荷の軽い状態（吸込み側があまり差圧発生されていない状態）で起動することができる。
【００３３】
そして、起動後は、暫く流路開閉手段８は開状態である。そして、差圧発生手段の運転により筐体温度が所定温度Ｔ１まで上昇すると、流路開閉手段が閉止されて、酸素富化が行われるように運転される。このとき、酸素富化手段２を通過する場合よりも分岐管５を通過する場合のほうが流通抵抗は小さくなるように構成されている。従って、流路開閉手段８を開状態にすれば大気は酸素富化手段２側ではなく分岐管５側から優先的に導入される。
【００３４】
更には、流通抵抗が小さい分、酸素富化手段２を通過する場合よりもより多量の空気が導入可能である。その結果、室内機１１に向かう吐出主管６などに滞留する結露水は、風速向上によってより室内機側に押し出されやすくなる。
【００３５】
そして、風速向上で蒸発量も向上することが期待でき、それによる結露水の低減を図ることができる。さらに、万一結露水が経路内で凍結してしまう場合でも、高い風速で氷結を室内機側に押し出すこともできる。室内機の吹き出し部手前には、この押し出された氷結や結露水を一旦受けて融解・蒸発を促す拡管部を設けておいてもよい。拡管部とは、管の途中の一部が太くなっている部分のことを意味している。
【００３６】
また、流路開閉手段８の開制御を行ったときに、大気温度に応じて流路開閉手段８の開時間を変更する。このようにして、減圧ポンプ３を確実に起動させ、酸素富化された空気を室内機１１に送ることができる。
【００３７】
なお、上記構成を空気調和機等に用いた場合、その装置自体が元来有する温度センサを共用して、大気温度を検知してもよい。
【００３８】
また、制御装置１２も空気調和機の室外機の制御装置に組み込んで配置してもよいことはいうまでもない。
【００３９】
本実施の形態では、差圧発生手段の筐体温度を検知して、これによりダイヤフラムの可撓性や、駆動部の粘度に応じた起動制御を行っている。さらに、差圧発生手段の配置されている装置内の空間温度や、装置の周囲温度を検知して、間接的に差圧発生手段筐体の温度を推定して起動時の流路開閉手段制御を行うようにしてもよい。また、本実施の形態では筐体温度を検知し、それが所定温度Ｔ１になることを検知して流路開閉手段８を閉止する。
【００４０】
さらに、運転開始後所定時間で閉止するようにしたり、さらには検知温度により流路開閉手段の所定の開状態時間を可変させることが好ましい。
【００４１】
（実施の形態２）
次に実施の形態２について図４、図５を用いて説明する。実施の形態１は、流路開閉手段８を減圧ポンプ３周辺の大気温度などに基づいて開閉する。実施の形態２では、差圧発生手段の起動時の指示運転容量としてその駆動の回転数を検知して、その回転数に応じて制御装置１２が流路開閉手段８を開閉する。
【００４２】
図４に示すように、減圧ポンプ３の運転状態を検知する回転数検出装置１６を配置する。回転数検出装置１６により検知された回転数Ｒを予め設定された回転数Ｒ１と比較する。そして、図５に示すような制御仕様に従って、図６に示す様に流路開閉手段８の開閉動作を行う。
【００４３】
差圧発生手段の運転回転数は、起動最初は吸入側の差圧発生負荷も小さいので高い。そして、徐々に吸入側が負圧になってくると、負荷が徐々に増大しするとともに、送出側の配管６中に水滴がついていたりする。その結果、負荷が大きくなり回転数が低下してくる。そのため、所定回転数Ｒ１以下になると、配管つまりなどによる起動負荷が大きいと判断する。そして、流路開閉手段８を開として、差圧発生手段の負荷を下げるとともに配管６中に滞留している水滴を押し出すように風速の高い空気を送り込む。
【００４４】
回転数検出装置１６は、減圧ポンプ３内部に組み込まれても、別部品として設けておいてもよい。また、減圧ポンプ３の回転数ではなく、減圧ポンプ３の運転電流、減圧ポンプ３の吸入圧、吐出圧などを検出しても、同様の効果を得ることができる。
【００４５】
本実施の形態では差圧発生手段の回転数を検知した。より簡易化のために、検知手段を用いなくてもよい。例えば、ユーザの指示によって制御装置１２が運転指示した差圧発生手段の制御量を用いてもよい。
【００４６】
（実施の形態３）
実施の形態３では、実施の形態１と２とは異なり、流路開閉手段８として開度可変の電動流路開閉手段（図示せず）を用いる。流路開閉手段の開度は大気温度や、差圧発生手段の筐体温度もしくは運転容量などによって変化させる。この流路開閉手段は、連続的に開度を可変できるものでも、段階的な開度調整を行うものであってもよい。
【００４７】
例えば、流路開閉手段の開度を上記の温度センサ１０により検知された大気温度に基づいて制御する場合、大気温度が低いほど流路開閉手段の開度を大きくして装置を起動させる。少なくとも送気通路４内に滞留する可能性のある水滴を吹き出すために、十分な風量を確保するためである。一方、大気温度が十分高い場合には、送気通路４内での水滴の存在の可能性は低い。そのため、流路開閉手段の開度は、差圧発生手段を起動する時の負荷に対して、起動させるのに十分な程度に調節できるようにしておけばよい。
【００４８】
なお、開度は大きすぎると差圧発生手段の音の変化が大きくなるので、ユーザに不快感を与える可能性がある。逆に、小さすぎると音の変化は小さいが、氷結をとばすための風速が得られない。また、差圧発生手段の運転容量に応じて流路開閉手段の開度を制御してもよい。運転容量とは、減圧ポンプの運転回転数などを表すものである。  起動時に検知された減圧ポンプ運転回転数や、減圧ポンプが運転開始時に指示された運転回転数に基づいて、例えば運転回転数が大きいほど流路開閉手段の開度を大きくして、装置を起動させる。
【００４９】
（実施の形態４）
まず図７、図８、図９を用いて、実施の形態４を説明する。
【００５０】
図７は、本実施の形態に係る装置の構成を示している。
実施の形態１に記載された構成と同一のものについては、同一の参照符号を付与し、説明を省略する。異なっている構成についてのみ説明する。酸素富化手段２の１次側（大気側）には、滞留する窒素富化空気を掃気するための窒素富化空気掃気用ファン１７を配置し、酸素富化装置の運転に連動して動作させる。
【００５１】
制御装置１２は室外機の雰囲気温度（いわゆる大気温度）Ｔを検知する大気温度センサ１０Ａを具備して大気温度を検知している。ここで、空気調和機の冷凍サイクルの構成及び動作については、本発明に関連しないため詳細な説明は省略する。次に上記構成の酸素富化装置を用いて、酸素富化を行う動作と共に、本発明に係る動作について図７、８、及び９を用いて説明する。
【００５２】
減圧ポンプ３が運転されると、図７の矢印１５Ａで示すように、酸素富化手段２を通過した空気が送気通路４を通過して減圧ポンプ３に吸い込まれる。そして、酸素富化された空気が吐出主管６を介して室内機に送出される。
【００５３】
次に送気通路４に設けられた分岐管５に介装された流路開閉手段８の動作について説明する。流路開閉手段８は、酸素富化運転中は閉状態になっている。酸素富化装置の停止指示を受信すると、制御装置１２は大気温度センサ１０Ａにより検知された大気温度Ｔを予め設定された温度Ｔ２と比較する。
【００５４】
そして、図８に示すような制御仕様に従って、図９に示すような開閉動作が行われる。図８に示すように、大気温度Ｔと所定温度Ｔ２との比較に基づき、それぞれ設定した時間ｔの間、流路開閉手段８を開にする。
【００５５】
このとき、大気温度Ｔが所定温度Ｔ２よりも低い場合、吐出主管６には結露が多い状態であると推測し、時間ｔ＝ｔｂに設定する。逆に、大気温度Ｔが所定温度Ｔ２よりも高い場合、吐出主管６には結露が少ない状態、もしくは凍結する可能性が低いと推測する。そして、時間ｔ＝ｔａに設定する（ここで、ｔｂはｔａより大きい）。
【００５６】
さらに、例えばｔａ＝０の場合もある。矢印１５Ｂで示すように、大気が分岐管５を介して直接導入されるため、吐出主管６に送出される空気は相対的に湿度の低い空気と混合して結露状態は緩和される傾向に向かう。このとき、流通抵抗は酸素富化手段２を通過する場合よりも、分岐管５を通過する場合の方が小さくなるように構成されている。従って、流路開閉手段８を開状態にすれば、大気は酸素富化手段２側ではなく分岐管５側から優先的に導入される。
【００５７】
更に、抵抗が小さい分だけ、酸素富化手段２を通過する場合よりも、より多量の空気が導入可能となる。その結果、室内機１１に向かう吐出主管６などに滞留する結露水は、風速向上によってより室内機側に押し出されやすくなる。そして、風速向上で蒸発量も向上することが期待できるので、それにより結露水の低減を図ることができる。更には、万一結露水が経路内で結露してしまう場合でも、高い風速で氷結を室内機側に押し出すようにすることもできる。
【００５８】
室内機の吹き出し部手前には、この押し出された氷結や結露水を一旦受けて融解・蒸発を促す拡管部を設けておいてもよい。また、分岐管５に流路開閉手段８と直列的に流通抵抗部材９を設けている。流通抵抗部材９がない場合には、流路開閉手段８の開制御を行っ
たときに減圧ポンプ３の吸入圧力変動が急激に起こるため、ユーザに対して認識されうるに十分大きな音の変化が発生する。
【００５９】
しかし、この流通抵抗部材９を接続することで圧力変動が小さくなり騒音対策に効果がある。この流通抵抗部材９は、酸素富化手段２よりも空気通過抵抗（流通抵抗）が小さいもので構成する。なお、上記構成を空気調和機等に用いた場合、その装置自体が元来有する温度センサを共用して、大気温度を検知してもよい。また、制御装置１２も空気調和機の室外機の制御装置に組み込んで配置してもよいことはいうまでもない。
【００６０】
（実施の形態５）
次に実施の形態５に係る装置の構成は、実施の形態４と共通であるので、その説明は省略する。次に、実施の形態５の動作について、図７、８および１０を用いて説明する。
【００６１】
図７において、酸素富化手段２の１次側（大気側）には滞留する窒素富化空気を掃気するための窒素富化空気掃気用ファン１７（以後ファン１７という）を配置し、酸素富化運転中はファン１７を運転している。  室外機ファン２１とファン１７を共用する場合は、室外機ファン２１を運転することになる。実施の形態４と同様に酸素富化装置の停止指示受信後、制御装置１２は大気温度センサ１０Ａにより検知された大気温度Ｔを、予め設定された温度Ｔ２と比較する。そして、図８に示すような制御仕様に従って、図１０に示すような開閉動作が行われる。
【００６２】
大気温度Ｔが、所定温度Ｔ２との比較により、それぞれ設定した時間ｔ、流路開閉手段８を開にする。このとき、分岐管５を介して大気が直接導入されるため、酸素富化手段２の１次側（大気側）に滞留する窒素富化空気を掃気するためのファン１７の運転は必要ない。
【００６３】
しかし、差圧発生手段の音をマスキングするため、ファン１７の運転を続ける。このとき、ファン１７が室外機ファン２１と共用される場合は、室外機ファン２１の運転を続けることになる。所定時間ｔ運転後、差圧発生手段を停止するが、その際、管路内に一部残存した凝縮水やポンプの停止音をマスキングする為、さらに一定時間もしくは大気温度などにより変更可能な時間ｔｃの間、ファン１７の運転を続ける。ここで、時間ｔｃは、大気温度Ｔによって、変化させても良い。
【００６４】
このとき、前記同様、ファン１７が室外機ファン２１と共用される場合は、室外機ファン２１の運転を続けることになる。また、上記のいずれにおいても、ファン１７と室外機ファン２１が共用でない場合においても、ファン１７のみの運転、室外機ファン２１のみの運転、さらには、ファン１７と室外機ファン２１両方の運転のいずれにおいても、同様な騒音をマスキングする効果が得られる。
【００６５】
（実施の形態６）
図１１は、実施の形態６における差圧発生手段の要部の構成を示す図である。実施の形態１と同じ構成部品には同一の番号を付与し、説明を省略する。本実施の形態の差圧発生手段３１は酸素富化手段２の一方の側を加圧して空気を押し込む加圧ポンプである。そして、ガス富化手段２と並列に流路開閉手段８を配置している。このように構成することにより、差圧発生手段が加圧発生手段の場合でも、減圧発生手段の場合と同様に効果を奏することができる。
【００６６】
なお、少なくともガス富化手段と、前記ガス富化手段に差圧を発生させる差圧発生手段と、第１の気体を前記ガス富化手段に通過させてガス富化された第２の気体を送気する送気通路と、 前記送気通路に第３の気体を供給するための流路開閉手段と、空気を送風する送風手段とを備え、前記流路開閉手段を、前記差圧発生手段の起動に連動して制御する空気調和装置を構成することもできる。
【産業上の利用可能性】
【００６７】
以上のように、本発明にかかるガス富化装置及びそれを用いた送風装置は、低大気温度の場合でも特定のガスを富化された空気の管路内部の水分排出ができ、また差圧発生手段停止時における管路内部の結露水の残留を極力低減させることができるので、ガス富化機能を備えた家庭用や自動車用の空気調和装置、空気清浄機等にも広く適用できる。
【図面の簡単な説明】
【００６８】
【図１】本発明の実施の形態１におけるガス富化装置を具備した空気調和機を示す図
【図２】本発明の実施の形態１における制御仕様例を示す図
【図３】本発明の実施の形態１における流路開閉手段と減圧ポンプの動作を示すタイムチャート
【図４】本発明の実施の形態２におけるガス富化装置を示す図
【図５】本発明の実施の形態２における制御仕様例を示す図
【図６】本発明の実施の形態２における流路開閉手段と減圧ポンプの動作を示すタイムチャート
【図７】本発明の実施の形態３におけるガス富化装置を具備した空気調和機を示す図
【図８】本発明の実施の形態３と４における制御仕様例を示す図
【図９】本発明の実施の形態３における流路開閉手段と減圧ポンプの動作を示すタイムチャート
【図１０】本発明の実施の形態４における流路開閉手段、減圧ポンプと送風機などの動作を示すタイムチャート
【図１１】本発明の実施の形態６における加圧ポンプを用いた酸素富化装置示す図
【符号の説明】
【００６９】
１  室外機
２  酸素富化手段
３  減圧ポンプ
４  送気通路
５  分岐管
６  吐出主管
７  吐出口
８  流路開閉手段
９  流通抵抗部材
１０  温度センサ
１０Ａ  大気温度センサ
１１  室内機
１２  制御装置
１３  室内ファン
１４  室内吹出し口
１５Ａ  酸素富化運転時の空気流れ矢印
１５Ｂ  外気導入運転時の空気流れ矢印
１６  回転数検出装置
１７  窒素富化空気掃気用ファン
１８  通風孔
２０  圧縮機
２１  室外機ファン
【図１】
0003551197.tif 000002
【図２】
0003551197.tif 000003
【図３】
0003551197.tif 000004
【図４】
0003551197.tif 000005
【図５】
0003551197.tif 000006
【図６】
0003551197.tif 000007
【図７】
0003551197.tif 000008
【図８】
0003551197.tif 000009
【図９】
0003551197.tif 000010
【図１０】
0003551197.tif 000011
【図１１】
0003551197.tif 000012